(57)【要約】【課題】中央監視装置と接続される複数の端末器より、使用者が中央処理装置にて警戒モードを設定した場合に、端末器自体で警戒モードに移行した事を確認可能な監視システムを提供する。【解決手段】定常または非定常の状態を監視する複数の端末器２０、２１および１台の中央処理装置１９と、端末器２０、２１および中央処理装置１９との間で、定常状態または非定常状態に関するデータの送信および受信を行うデータ通信手段５と、端末器２０、２１にて非定常の状態が発生した場合に警報音などを鳴らすブザー手段２４を備え、中央処理装置１９は、定常または非定常の状態の監視開始時に、端末器２０、２１より定常状態である信号を受信した場合、端末器のブザー手段２４を動作させ確認音を発するようにする。【選択図】  図２
2004326144.tif 000002
【特許請求の範囲】
【請求項１】
定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて非定常の状態が発生した場合に警報音を鳴らすブザー手段を備え、前記中央処理装置は、定常または非定常の状態の監視開始時に、前記端末器から定常状態である信号を受信した場合、前記端末器のブザー手段を動作させ第１の確認音を吹鳴するようにした監視システム。
【請求項２】
ブザー手段の音量を設定する音量設定手段を備え、中央処理装置は、定常または非定常の状態の監視開始時に前記端末器から定常状態である信号を受信した場合に前記端末器のブザー手段にて吹鳴する第１の確認音の音量を、警戒中に前記端末器にて非定常の状態が発生した場合に前記端末器のブザー手段にて吹鳴する警報音の音量より小さく設定するようにした請求項１記載の監視システム。
【請求項３】
前記端末器は中央処理装置からの受信したデータを表示する表示手段を備え、中央処理装置は、定常または非定常の状態の監視開始時に、前記端末器から定常状態である信号を受信した場合、前記端末器の表示手段に定常状態である旨を表示するようにした請求項１〜２のいずれか１項記載の監視システム。
【請求項４】
中央処理装置は、定常または非定常の状態の監視開始時に、前記端末器から非定常状態である信号を受信した場合、前記端末器のブザー手段を動作させ第１の確認音とは音量または音色が異なる第２の確認音を吹鳴するようにした請求項１記載の監視システム。
【請求項５】
中央処理装置は、定常または非定常の状態の監視開始時に、前記端末器から非定常状態である信号を受信した場合、前記端末器のブザー手段を動作させ第２の確認音を吹鳴し、かつ、他の端末器のブザー手段を動作させないようにした請求項４記載の監視システム。
【請求項６】
端末器は中央処理装置からの受信したデータを表示する表示手段を備え、中央処理装置は、定常または非定常の状態の監視開始時に、前記端末器から非定常状態である信号を受信した場合、前記端末器の表示手段に非定常状態である旨を表示するようにした請求項１記載の監視システム。
【請求項７】
中央処理装置は、定常または非定常の状態の監視開始時に、前記端末器から非定常状態である信号を受信した場合、前記端末器の表示手段に非定常状態である旨を表示し、かつ、他の端末器の表示手段を表示させないようにした請求項６記載の監視システム。
【請求項８】
端末器は電池の電圧を検知する電池電圧検知手段を備え、中央処理装置は、定常または非定常の状態の監視開始時に、前記電池電圧検知手段にて電圧が所定の値に満たない場合、前記端末器のブザー手段を動作させ第１の確認音とは音量または音色が異なる第３の確認音を吹鳴するようにした請求項１記載の監視システム。
【請求項９】
端末器は電池の電圧を検知する電池電圧検知手段と、中央処理装置からの受信したデータを表示する表示手段とを備え、中央処理装置は、定常または非定常の状態の監視開始時に、前記電池電圧検知手段にて電池電圧が所定の値に満たない場合、前記端末器の表示手段に電池電圧が低い旨を表示するようにした請求項１記載の監視システム。
【請求項１０】
請求項１〜９のいずれか記載の監視システムにて少なくとも一つの手段をコンピュータに実行させるためのプログラム。
【発明の詳細な説明】
【０００１】
【発明の属する技術分野】
本発明は、端末器からの非定常信号に基づいて中央処理装置から自動通報を行う監視システムに関するものである。
【０００２】
【従来の技術】
近年、窃盗犯罪の増加に伴い、住居における監視システムの需要が増加している。従来この種の監視システムは、侵入者検知用のセンサ端末器と警報を発する中央処理装置との組み合わせからなり、中央処理装置は、各センサ端末器より侵入発生などの非定常状態を受け付けると（例えば使用者が警備サービスを契約している）警備会社の外線電話へ自動的に通報し、中央処理装置との間で音声通話、あるいは、中央処理装置に接続しているカメラの映像をＦＡＸ信号に変換するなどして警備会社に送信するものが提案されている（例えば、特許文献１参照）。
【０００３】
また、最近では、カメラの映像を確認する機能を廃して、各センサ端末器と中央処理装置との間で簡易的な通話機能（宅内インターホン機能）を備えた安価な監視システムも提案されており、以下、その構成について説明する。
【０００４】
図２１は、従来この種の監視システムのシステムブロック図であり、１は中央処理装置、２または３は端末器である。これら中央処理装置１と端末器２または３の間は、後述する無線による通信手段によって通信が行われる。
【０００５】
図２２は中央処理装置１の内部ブロック図である。４は制御手段、５はデータ通信手段、６は音声を変復調して通信を行う音声通信手段、７はデータ通信手段５からの出力を受けて外線電話に接続して音声通信手段６を公衆回線に接続する公衆回線接続手段。８は電話回線に接続するための外線接続部、９は１全体の状態を表示する表示部、１０は中央処理装置１全体の動作を設定する設定部である。１１は音声通信手段５から出力される音声を拡声する音声出力手段、１２は中央処理装置から端末器に対して音声を送信するための音声入力手段である。
【０００６】
図２３は端末器２または３の内部ブロック図である。１３は侵入検知手段で（図示はしないが）人を検知するセンサーの場合では、赤外線の受発光部を設けており、端末器２または３の周囲１〜３ｍに発光した赤外線出力の変化に応じて非定常状態を検知するものであり、窓の開閉状態を検知するセンサーの場合では、窓の開閉により磁石の近接の変化に応じて非定常状態を検知するものである。
【０００７】
つまり、この端末器を宅内の窓近傍あるいは居間などに設置することにより、外部から宅内への侵入を検知することができる。
【０００８】
１４は端末制御部で、侵入検知手段１３からの非定常信号、すなわち侵入が発生したという情報を、中央処理装置１に対して自らの端末器コードと共に、データ通信手段１５を用いて無線によって送信するものである。１６は音声通信手段で、中央処理装置１との間で音声信号を通信する。１７は音声出力手段で、音声通信手段１６によって受信・復調された音声信号を拡声するものである。１８は音声入力手段で、これによって端末器２周辺の音声は集音され、音声通信手段１６で変調されて中央処理装置１に送信される。
【０００９】
以上の構成に基づいて動作を説明する。使用者の外出時において、中央処理装置１の設定部１０により警戒モードを設定することにより、制御手段４は、データ通信手段５に対して端末器２または３を警戒モードに切り替えるよう信号を出力し、端末器２または３のデータ通信手段１５を介して端末制御部１４は（それまでの）非警戒モードから警戒モードに切り替えるのと同時に、侵入検知手段１３からの信号を受付け可能な状態にする。補足するが、非警戒モードでは侵入検知手段１３からの信号を受付けを不能にすることにより、侵入検知手段１３（例えば赤外線センサー）の検知回路への通電を遮断することにより、消費電力を軽減するわけである。一方で、侵入検知手段１３からの信号を受付可能な状態になった段階で、端末制御部１４は端末器２または３をとりまく状況が定常状態または非定常状態なのかを知り、この状態をデータ通信手段１５を介して、中央処理装置１へ送信する。
【００１０】
つまり、使用者が中央処理装置１の設定部１０にて警戒モードを設定した場合、端末器２および３が窓の開閉状態を検知する開閉検知センサーとして、いずれも窓が閉じていると言う定常状態を検知することをもって警戒動作を開始する。
【００１１】
警戒動作中において端末器２または３が設置されている宅内の窓近傍あるいは居間に外部から宅内への侵入があると侵入検知手段１３が動作し、端末器２または３におけるデータ通信手段１５に対して非定常状態発生の信号が出力される。データ通信手段１５はこの信号を受けると中央処理装置１のデータ通信手段５に対して信号を発信する。この信号は、まず自らの端末器のアドレスコードと侵入が発生したという旨の状態コードを順次送信する。中央処理装置１では、中央処理装置１のデータ通信手段５においてこの送信信号を受信し、どの端末器からの信号かを判別し、さらには侵入発生した旨の信号を受信する。この信号に基づき、公衆回線接続手段７が動作し、外線接続部８から予め登録された電話番号に対応した宅外の電話機との通話構成が確立する。これによって端末器の周辺の音声を、音声入力手段１８を通じて宅外の電話機でモニタすることができるようになり、周辺状況の傍受が可能となる。また、必要な場合は電話機を通じて音声出力手段１７から使用者の音声によって侵入者に対して威嚇を行うわけである。
【００１２】
【特許文献１】
特開平０５−２９０４１６号公報（第１ー２頁、第１図）
【００１３】
【発明が解決しようとする課題】
しかしながら、前記従来の構成では、使用者が中央処理装置１にて警戒モードを設定した場合、各端末器が警戒モードに移行したかどうかを端末器自体で確認する方法は、上記した窓の開閉検知センサーの例で言えば、実際に窓を開閉してセンサー機能を動作させるしか方法しかなかった。また、各端末器が警戒モードに移行したかどうかを表示するための集中表示手段を家屋に設けてそれに表示する方法も考えられる。しかしながら、そのために集中表示手段を備える費用の点を顧みるとあまり現実的でないといえる。
【００１４】
また、警戒モード設定は、外出時に宅内の全てのセンサーを警戒モードに設定する場合と、２階にて就寝する時に１階に設置したセンサーのみを警戒モードに設定する部分警戒モードとの２つに大別されるが、後者の部分警戒モードを設定した場合には、上記の例で言えば１階に設置したセンサーだけが正しく警戒モードに移行したかをセンサー単体だけで確認するのが困難であると言う課題を有していた。
【００１５】
本発明は、上記従来の課題を解決するもので、使用者が中央処理装置にて警戒モードを設定した場合、各端末器が警戒モードに移行した事を端末器自体で確認可能な監視システムを提供することを目的とする。
【００１６】
【課題を解決するための手段】
前記従来の課題を解決するために、本発明の監視システムは、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて非定常の状態が発生した場合に警報音を鳴らすブザー手段を備え、前記中央処理装置は、定常または非定常の状態の監視開始時に、前記端末器から定常状態である信号を受信した場合、前記端末器のブザー手段を動作させ第１の確認音を吹鳴するようにしたものである。
【００１７】
これにより、使用者が中央処理装置にて警戒モードを設定した場合、端末器は定常状態（窓の開閉検知センサーであれば窓が閉じている状態）を検知して（中央処理装置へ状態を送信して折り返し中央処理装置は）端末器のブザーを（例えばピピッと言うように）短時間だけ鳴らすことにより、使用者はその端末器が警戒モードに移行した事を端末器自体で確認可能とするものである。
【００１８】
【発明の実施の形態】
請求項１に記載の発明は、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて非定常の状態が発生した場合に警報音を鳴らすブザー手段を備え、前記中央処理装置は、定常または非定常の状態の監視開始時に、前記端末器から定常状態である信号を受信した場合、前記端末器のブザー手段を動作させ第１の確認音を吹鳴するようにしたものであり、これにより、使用者が中央処理装置にて警戒モードを設定した場合、端末器は定常状態（窓の開閉検知センサーであれば窓が閉じている状態）を検知して（中央処理装置へ状態を送信して折り返し中央処理装置は）端末器のブザーを（例えばピピッと言うように）短時間だけ鳴らすことにより、使用者はその端末器が警戒モードに移行した事を端末器自体で確認することが可能になるものである。
【００１９】
請求項２に記載の発明は、請求項１に記載の監視システムにて、ブザー手段の音量を設定する音量設定手段を備え、中央処理装置は、定常または非定常の状態の監視開始時に前記端末器から定常状態である信号を受信した場合に前記端末器のブザー手段にて吹鳴する第１の確認音の音量を、警戒中に前記端末器にて非定常の状態が発生した場合に前記端末器のブザー手段にて吹鳴する警報音の音量より小さく設定するようにしたものであり、これにより、警戒モードを設定する度に発生する各端末器の警戒モード設定確認音の音量を軽減することができ、近隣の住人に対して、警戒モード設定確認音を（実際に宅内へ不審者の侵入があった場合に報知する）警報音として誤って伝える懸念がなくなるというものである。
【００２０】
請求項３に記載の発明は、請求項１〜２に記載の監視システムにて、端末器は中央処理装置からの受信したデータを表示する表示手段を備え、中央処理装置は、定常または非定常の状態の監視開始時に、前記端末器から定常状態である信号を受信した場合、前記端末器の表示手段に定常状態である旨を表示するようにしたものであり、これにより、同じ部屋に複数の窓の開閉検知センサーを設置していて、それらが一斉に警戒モードに移行した場合に発せられる警戒モード設定確認音が、どの端末器が鳴って、どの端末器が鳴っていないのか聞き取りにくい場合においても、表示手段（ＬＥＤ発光素子あるいは簡易ランプ）を短時間（例えば１分程度）点灯させることにより、使用者はどの端末器が警戒モードに移行したかを端末器自体で確認することを可能にするものである。
【００２１】
請求項４に記載の発明は、請求項１に記載の監視システムにて、中央処理装置は、定常または非定常の状態の監視開始時に、前記端末器から非定常状態である信号を受信した場合、前記端末器のブザー手段を動作させ第１の確認音とは音量または音色が異なる第２の確認音を吹鳴するようにしたものであり、これにより、使用者が中央処理装置にて警戒モードを設定した場合、端末器が非定常状態（窓の開閉検知センサーであれば窓が開いている状態）を検知して（中央処理装置へ状態を送信して折り返し中央処理装置は）端末器のブザーを定常状態を検知した場合に吹鳴する確認音とは違う種類のブザー音（例えばピーピーと言うような音）を鳴らすことにより、使用者は非定常状態を検知した端末器（窓が開いていると検知した場所）を容易に知ることが可能となる。
【００２２】
請求項５に記載の発明は、請求項４に記載の監視システムにて、中央処理装置は、定常または非定常の状態の監視開始時に、前記端末器から非定常状態である信号を受信した場合、前記端末器のブザー手段を動作させ第２の確認音を吹鳴し、かつ、他の端末器のブザー手段を動作させないようにしたものであり、これにより、同じ部屋に複数の窓の開閉検知センサーを設置していて、それらが一斉に警戒モードに移行した場合に発せられる警戒モード設定確認音のうち、どの端末器が警戒モードに移行でき、どの端末器が警戒モード移行できなかったのかを聞き取りにくい場合においても警戒モードに移行できない端末器が発生した時点で、直ちに他の端末器の警戒モード設定確認音を消すため、使用者は非定常状態を検知した端末器（窓が開いていると検知した場所）を速やかに知ることが可能となる。
【００２３】
請求項６に記載の発明は、請求項１に記載の監視システムにて、端末器は中央処理装置からの受信したデータを表示する表示手段を備え、中央処理装置は、定常または非定常の状態の監視開始時に、前記端末器から非定常状態である信号を受信した場合、前記端末器の表示手段に非定常状態である旨を表示するようにしたものであり、これにより、同じ部屋に複数の窓の開閉検知センサーを設置していて、それらが一斉に警戒モードに移行した場合に発せられる警戒モード設定確認音のうち、どの端末器が警戒モードに移行でき、どの端末器が警戒モード移行できなかったのかを聞き取りにくい場合においても表示手段（ＬＥＤ発光素子あるいは簡易ランプ）を点滅させることにより、使用者は非定常状態を検知した端末器（窓が開いていると検知した場所）を容易に知ることが可能となる。
【００２４】
請求項７に記載の発明は、請求項６に記載の監視システムにて、中央処理装置は、定常または非定常の状態の監視開始時に、前記端末器から非定常状態である信号を受信した場合、前記端末器の表示手段に非定常状態である旨を表示し、かつ、他の端末器の表示手段を表示させないようにしたものであり、これにより、同じ部屋に複数の窓の開閉検知センサーを設置していて、それらが一斉に警戒モードに移行した場合に表示手段により点灯あるいは点滅する警戒モード設定表示のうち、どの端末器が警戒モードに移行でき、どの端末器が警戒モード移行できなかったのかを見分けにくい場合おいても警戒モードに移行できない端末器が発生した時点で、直ちに他の端末器の警戒モード設定表示を消すため、使用者は非定常状態を検知した端末器（窓が開いていると検知した場所）を速やかに知ることが可能となる。
【００２５】
請求項８に記載の発明は、請求項１に記載の監視システムにて、端末器は電池の電圧を検知する電池電圧検知手段を備え、中央処理装置は、定常または非定常の状態の監視開始時に、前記電池電圧検知手段にて電圧が所定の値に満たない場合、前記端末器のブザー手段を動作させ第１の確認音とは音量または音色が異なる第３の確認音を吹鳴するようにしたものであり、これにより、使用者が中央処理装置にて警戒モードを設定した場合、電池駆動の端末器において、電源電圧の値が低い状態（電池残量が少ない状態）を検知して（中央処理装置へ状態を送信して折り返し中央処理装置は）端末器のブザーを定常状態を検知した場合に吹鳴する確認音とは違う種類のブザー音（例えばピッピッピッピッと言うような音の繰り返し）を鳴らすことにより、使用者は端末器の電池切れを容易に知ることが可能となる。
【００２６】
請求項９に記載の発明は、請求項１に記載の監視システムにて、端末器は電池の電圧を検知する電池電圧検知手段と、中央処理装置からの受信したデータを表示する表示手段とを備え、中央処理装置は、定常または非定常の状態の監視開始時に、前記電池電圧検知手段にて電池電圧が所定の値に満たない場合、前記端末器の表示手段に電池電圧が低い旨を表示するようにしたものであり、これにより、同じ部屋に複数の窓の開閉検知センサーを設置していて、それらが一斉に警戒モードに移行した場合に発せられる警戒モード設定確認音のうち、どの端末器の電池電圧が低いのかを聞き取りにくい場合においても表示手段（ＬＥＤ発光素子あるいは簡易ランプ）を点滅させることにより、使用者は端末器の電池切れをより確実に知ることが可能となる。
【００２７】
請求項１０に記載の発明は、請求項１〜９のいずれかに記載の監視システムの少なくとも一つの手段をコンピュータに実行させるためのプログラムである。この構成によれば、監視システムは、使用者が中央処理装置にて警戒モードを設定した場合、各端末器自体に内蔵している警報用ブザーを短時間吹鳴することにより警戒モード設定に移行したことを確認可能にするものである。また、プログラムであるのでマイコンなどを用いて本発明の監視システムの一部あるいは全てを容易に実現することができる。また記録媒体に記録したり通信回線を用いてプログラムを配信したりすることでプログラムの配布が簡単にできる。
【００２８】
【実施例】
以下、本発明の実施例について、図１〜２０を参照しながら説明する。なお、上記従来例と同じ構成のものは同一符号を付して説明を省略する。
【００２９】
（実施例１）
図１は、本実施例１の監視システムのシステムブロック図、図２は、本発明の実施例１の中央処理装置の内部ブロック図、図３は、本発明の実施例１の端末器２０、２１の内部ブロック図であり、図４は、端末器２０、２１の端末制御部２３の要部動作を示すフローチャートである。図３のブザー手段２４は宅内にて不審者の侵入が発生するなど非定常の状態が発生した場合に警報音を鳴らすブザーである。その他は、中央処理装置１９、端末制御部２３、端末器２０、および２１と表記している以外は従来例と同じ構成である。
【００３０】
なお、端末器２０、２１は宅内への侵入検知を目的とした防犯用センサーであるが、本実施例では（わかりやすく説明するために）すべてを窓の開閉状態を検知する開閉センサーとして説明する。つまり、開閉センサーの検知状態は窓が閉まっている状態を定常状態とし、窓が開けられた状態を非定常状態として検知することにより宅内への侵入を検知しようというものである。
【００３１】
その他、防犯用センサーには人体を検知する人感センサーがあり、この場合は赤外線の受発光部を設けてセンサーの周囲１〜３ｍに発光した赤外線出力の変化に応じて非定常状態を検知する訳である。
【００３２】
以上のように構成された監視システムについて、以下その動作、作用を説明する。
【００３３】
使用者は外出時に監視システムを（それまでの非警戒モードより）警戒モードに切り替えるため、図２に示した中央処理装置１９の設定部１０により警戒モードを設定することにより、制御手段２２は、データ通信手段５に対して端末器２０、２１を警戒モードに切り替えるようデータ信号を出力し、端末器２０、２１のデータ通信手段１５を介して端末制御部２３に伝えられ、端末制御部２３は警戒モード設定処理を開始する。
【００３４】
警戒モード設定処理を開始すると、図４のフローチャートに示すように、Ｓ１にて侵入検知手段１３より現在の窓の状態を検知し、Ｓ２にて開閉センサーが定常状態（窓が閉まっている状態）を検知すると、Ｓ３ａにて中央処理装置１９に開閉センサーが定常状態である、つまり、警戒モードに移行することが可能である旨を伝え、Ｓ４ａにて中央処理装置１９からの応答を受けた後に、Ｓ５にて第１の確認音である「ピピッ」というブザー音を吹鳴し警戒モード設定処理を終了する。
【００３５】
以上のように、本実施例では、使用者が中央処理装置にて警戒モードを設定した場合、端末器は定常状態（窓の開閉検知センサーであれば窓が閉じている状態）を検知して（中央処理装置へ状態を送信して折り返し中央処理装置は）端末器のブザーを（例えばピピッと言うように）短時間だけ鳴らすことにより、使用者はその端末器が中央処理装置と通信が完了して警戒モードに移行した事を端末器自体で確認することができるので中央処理装置を含めて警戒モードに設定ができたことを知ることができる。
【００３６】
なお、本実施例では、第１の確認音を具体的に示したがこの確認音は特に限定するものではなく、メロディや音声合成による確認音を鳴らしても良い。
【００３７】
（実施例２）
図５は、本発明の実施例２の端末器２０、２１の内部ブロック図、図６は、端末器２０、２１の端末制御部２５の要部動作を示すフローチャートである。図５に示すように、音量設定手段２６は、ブザー手段２４のブザーを吹鳴する音量を設定するものである。その他、端末制御部２５以外は実施例１と同じ構成である。
【００３８】
以上のように構成された監視システムについて、以下その動作、作用を説明する。
【００３９】
警戒動作を開始すると、図６のフローチャートに示すように、Ｓ６にて音量設定手段２６によりブザー手段２４のブザーを吹鳴する音量を、通常、防犯センサーとして侵入者を威嚇するための警報音の音量（９０ｄＢ）に比べて半分の音量に設定し、Ｓ５にて第１の確認音である「ピピッ」というブザー音を吹鳴し、Ｓ７にて音量設定手段２６にて音量を元の値に戻して警戒モード設定処理を終了する。
【００４０】
以上のように、本実施例では、警戒モードを設定する度に発生する各端末器における警戒モード設定確認音の音量を軽減することができるため、使用者自らが耳障りな大音量を聞くことを避けることができるばかりか、近隣の住人に対しても、警戒モード設定確認音を（実際に宅内へ不審者の侵入があった場合に報知する）警報音として誤って伝える懸念を払拭することができる。
【００４１】
なお、本実施例では、音量設定手段２６にて軽減する音量を半分などと具体的に示したがこの音量は特に限定するものではない。また音量を変えるほかに音色を変えて、アラーム用の張りつめた音と設定確認用の優しい音とを切り換えても良い。
【００４２】
（実施例３）
図７は、本実施例３の端末器２０、２１の内部ブロック図、図８は、端末器２０、２１の端末制御部２７の要部動作を示すフローチャートである。図７に示すように、表示手段２８は中央処理装置１９から受信したデータを表示するものであり、たとえばＬＥＤ半導体発光素子（ＬＥＤランプ）である。その他は、端末制御部２７以外は実施例２と同じ構成である。
【００４３】
以上のように構成された監視システムについて、以下その動作、作用を説明する。
【００４４】
図８のフローチャートに示すように、Ｓ５〜Ｓ７にてブザー手段２４にて第１の確認音を吹鳴した後に、Ｓ８〜Ｓ９にて１分間だけ表示手段２８（ＬＥＤランプ）を点灯させて、Ｓ１０にてこれを消灯する。
【００４５】
以上のように、本実施例では、同じ部屋に複数の窓の開閉検知センサーを設置していて、それらが一斉に警戒モードに移行した場合に発せられる警戒モード設定確認音が、どの端末器が鳴って、どの端末器が鳴っていないのか聞き取りにくい場合においても、表示手段（ＬＥＤ発光素子あるいは簡易ランプ）を短時間（例えば１分程度）点灯させることにより、使用者はどの端末器が警戒モードに移行したかを端末器自体で確認することができる。
【００４６】
なお、本実施例では、表示手段２８（ＬＥＤランプ）を点灯する時間を具体的に示したがこの時間は特に限定するものではない。
【００４７】
また、本実施例では、Ｓ５にてブザー手段２４による確認音を吹鳴終了後に、表示手段２８（ＬＥＤランプ）を点灯するようにしたがこのタイミングは限定するものではなく、ブザー吹鳴と表示手段（ＬＥＤランプ）の点灯を同時に行っても良い。
【００４８】
さらに、Ｓ６によるブザー吹鳴の音量設定では無音の設定も可能である。つまり、ブザー吹鳴を行うことなく表示手段（ＬＥＤランプ）の点灯のみを行っても良い。
【００４９】
（実施例４）
図９は、本発明の実施例４の端末器２０、２１の内部ブロック図、図１０は、端末器２０、２１の端末制御部２９の要部動作を示すフローチャートである。図９に示すように、端末制御部２９以外は実施例３と同じ構成である。
【００５０】
以上のように構成された監視システムについて、以下その動作、作用を説明する。
【００５１】
図１０のフローチャートに示すように、Ｓ１にて侵入検知手段１３より現在の窓の状態を検知し、Ｓ２にて開閉センサーが非定常状態（窓が開いている状態）を検知すると、Ｓ３ｂにて中央処理装置１９に開閉センサーが非定常状態である、つまり、警戒モードに移行できない旨を伝え、Ｓ４ｂにて中央処理装置１９からの応答を受けた後に、Ｓ１１にて第２の確認音（使用者に対してこの窓が開いているので閉めて欲しいと喚起するための音）である「ピーピー」というブザー音を数回吹鳴し警戒モード設定処理を終了する。
【００５２】
以上のように、本実施例では、使用者が中央処理装置にて警戒モードを設定した場合、端末器が非定常状態（窓の開閉検知センサーであれば窓が開いている状態）を検知して（中央処理装置へ状態を送信して折り返し中央処理装置は）端末器のブザーを定常状態を検知した場合に吹鳴する確認音とは違う種類のブザー音（例えばピーピーと言うような音）を鳴らすことにより、使用者は非定常状態を検知した端末器（窓が開いていると検知した場所）を容易に知ることができる。
【００５３】
なお、本実施例では、第２の確認音を具体的に示したがこの確認音は特に限定するものではなく、メロディや音声合成による確認音を鳴らしても良い。
【００５４】
（実施例５）
図１１は、本発明の実施例５の端末器２０、２１の内部ブロック図、図１２は、端末器２０、２１の端末制御部３０の要部動作を示すフローチャートである。図１１に示すように、端末制御部３０以外は実施例１と同じ構成である。
【００５５】
以上のように構成された監視システムについて、以下その動作、作用を説明する。
【００５６】
図１２のフローチャートに示すように、上記実施例４に加えた処理はＳ１２のみである。ここで、もう一度だけ処理の流れを繰り返すが、使用者が外出時に監視システムを（それまでの非警戒モードより）警戒モードに切り替え操作を行った際に、中央処理装置１９は複数個ある端末器に対して一斉に警戒モードに切り替えるようデータ送信を行う。各端末器では図１２のフローチャートに示すＳ１、Ｓ２、Ｓ３ａあるいはＳ３ｂの処理を各々行った後にＳ４ａあるいはＳ４ｂにて中央処理装置１９からの応答を待っている。
【００５７】
一方、中央処理装置１９は、すべての端末器からのＳ３ａあるいはＳ３ｂによる各端末器の状態が全部揃うまで待ち、すべての端末器の状態を受付けて、かつ、すべての端末器の状態が定常状態である（つまりすべての窓が閉まっている）場合に各端末器にブザー手段２４による第１の確認音の吹鳴を行う旨の指令を与え、Ｓ１２にてブザー手段２４による第１の確認音を吹鳴するか否かの判断後に、Ｓ５〜Ｓ７にてブザー手段２４にて第１の確認音を吹鳴する。
【００５８】
しかしながら、いずれかの端末器にてＳ２にて非定常状態（窓が開いている状態）を検知すると、Ｓ３ｂにて端末器より中央処理装置１９へ（端末器の１つが）非定常状態であると伝えられると、中央処理装置１９は、各端末器にブザー手段２４による第１の確認音の吹鳴を行わない旨の指令を与えるため、これをＳ４ａにて受け付けた端末器はブザー手段２４による確認音の吹鳴は行わず、これをＳ４ｂにて受け付けた端末器（つまり窓が開いている状態を検知した端末器）だけブザー手段２４による第２の確認音（ピーピー）を吹鳴する。
【００５９】
以上のように、本実施例では、同じ部屋に複数の窓の開閉検知センサーを設置していて、それらが一斉に警戒モードに移行した場合に発せられる警戒モード設定確認音のうち、どの端末器が警戒モードに移行でき、どの端末器が警戒モード移行できなかったのかを聞き取りにくい場合においても警戒モードに移行できない端末器が発生した時点で、直ちに他の端末器の警戒モード設定確認音を消すため、使用者は非定常状態を検知した端末器（窓が開いていると検知した場所）を速やかに知ることができる。
【００６０】
（実施例６）
図１３は、本発明の実施例６の端末器２０、２１の内部ブロック図、図１４は、端末器２０、２１の端末制御部３１の要部動作を示すフローチャートである。図１３に示すように、端末制御部３１以外は実施例５と同じ構成である。
【００６１】
以上のように構成された監視システムについて、以下その動作、作用を説明する。
【００６２】
図１４のフローチャートに示すように、上記実施例５との違いはＳ１２の処理を廃して、Ｓ１３〜Ｓ１５の処理を追加している。つまり非定常状態を検知した端末にて、Ｓ１１にてブザー手段２４による第２の確認音（ピーピー）を吹鳴した後に、Ｓ１３〜Ｓ１４にて１分間だけ表示手段２８（ＬＥＤランプ）を点滅させて、Ｓ１５にてこれを消灯する。
【００６３】
以上のように、本実施例では、同じ部屋に複数の窓の開閉検知センサーを設置していて、それらが一斉に警戒モードに移行した場合に発せられる警戒モード設定確認音のうち、どの端末器が警戒モードに移行でき、どの端末器が警戒モード移行できなかったのかを聞き取りにくい場合においても表示手段（ＬＥＤ発光素子あるいは簡易ランプ）を点滅させることにより、使用者は非定常状態を検知した端末器（窓が開いていると検知した場所）を容易に知ることが可能となる。
【００６４】
なお、本実施例では、表示手段２８（ＬＥＤランプ）を点灯する時間を具体的に示したがこの時間は特に限定するものではない。
【００６５】
また、本実施例では、Ｓ１１にてブザー手段２４による確認音を吹鳴終了後に、表示手段２８（ＬＥＤランプ）を点滅するようにしたがこのタイミングは限定するものではなく、ブザー吹鳴と表示手段（ＬＥＤランプ）の点滅を同時に行っても良い。
【００６６】
（実施例７）
図１５は、本発明の実施例７の端末器２０、２１の内部ブロック図、図１６は、端末器２０、２１の端末制御部３２の要部動作を示すフローチャートである。図１５に示すように、端末制御部３２以外は実施例６と同じ構成である。
【００６７】
以上のように構成された監視システムについて、以下その動作、作用を説明する。
【００６８】
図１６のフローチャートに示すように、上記実施例６に加えた処理はＳ１２のみであり、使用者が外出時に監視システムを（それまでの非警戒モードより）警戒モードに切り替え操作を行った際に、中央処理装置１９は複数個ある端末器に対して一斉に警戒モードに切り替えるようデータ送信を行う。各端末器では図１６のフローチャートに示すＳ１、Ｓ２、Ｓ３ａあるいはＳ３ｂの処理を各々行った後にＳ４ａあるいはＳ４ｂにて中央処理装置１９からの応答を待っている。
【００６９】
ここで、いずれかの端末器にてＳ２にて非定常状態（窓が開いている状態）を検知すると、Ｓ３ｂにて端末器より中央処理装置１９へ（端末器の１つが）非定常状態であると伝えられると、中央処理装置１９は、各端末器にブザー手段２４による第１の確認音の吹鳴を行わない旨の指令を与えるため、これをＳ４ａにて受け付けた端末器はブザー手段２４による確認音の吹鳴は行わず、これをＳ４ｂにて受け付けた端末器（つまり窓が開いている状態を検知した端末器）だけブザー手段２４による第２の確認音（ピーピー）を吹鳴し、Ｓ１３〜Ｓ１４にて１分間だけ表示手段２８（ＬＥＤランプ）を点滅させて、Ｓ１５にてこれを消灯する。
【００７０】
以上のように、本実施例では、同じ部屋に複数の窓の開閉検知センサーを設置していて、それらが一斉に警戒モードに移行した場合に表示手段により点灯あるいは点滅する警戒モード設定表示のうち、どの端末器が警戒モードに移行でき、どの端末器が警戒モード移行できなかったのかを見分けにくい場合おいても警戒モードに移行できない端末器が発生した時点で、他の端末器の警戒モード設定表示をしないため、使用者は非定常状態を検知した端末器（窓が開いていると検知した場所）を速やかに知ることができる。
【００７１】
（実施例８）
図１７は、本発明の実施例８の端末器２０、２１の内部ブロック図、図１８は、端末器２０、２１の端末制御部３３の要部動作を示すフローチャートである。図１７に示すように、電池電圧検知手段３４は端末器が電池駆動の場合に電池の電圧を検知するものであり、その他は、端末制御部３３以外は実施例１と同じ構成である。
【００７２】
以上のように構成された監視システムについて、以下その動作、作用を説明する。
【００７３】
図１８のフローチャートに示すように、警戒モード設定処理を開始すると、Ｓ１６にて電池電圧検知手段３４にて電池の電圧を測定し、Ｓ１７にて電池電圧がたとえば２Ｖに満たない場合、Ｓ１８にて中央処理装置１９に対して電池電圧が低下している旨を伝え、Ｓ１９にて中央処理装置１９からの応答を受けた後に、Ｓ２０にて第３の確認音（使用者に対して電池の交換を喚起するための音）である「ピッピッピッピッ」というブザー音を吹鳴し警戒モード設定処理を終了する。
【００７４】
以上のように、本実施例では、使用者が中央処理装置にて警戒モードを設定した場合、電池駆動の端末器において、電源電圧の値が低い状態（電池残量が少ない状態）を検知して（中央処理装置へ状態を送信して折り返し中央処理装置は）端末器のブザーを定常状態を検知した場合に吹鳴する確認音とは違う種類のブザー音（例えばピッピッピッピッと言うような音の繰り返し）を鳴らすことにより、使用者は端末器の電池切れを容易に知ることができる。
【００７５】
なお、本実施例では、第３の確認音を具体的に示したがこの確認音は特に限定するものではなく、メロディや音声合成による確認音を鳴らしても良い。
【００７６】
（実施例９）
図１９は、本発明の実施例９の端末器２０、２１の内部ブロック図、図２０は、端末器２０、２１の端末制御部３５の要部動作を示すフローチャートである。図１９に示すように、表示手段２８は中央処理装置１９から受信したデータを表示するものであり、具体的にはＬＥＤ半導体発光素子（ＬＥＤランプ）である。その他は、端末制御部３５以外は実施例８と同じ構成である。
【００７７】
以上のように構成された監視システムについて、以下その動作、作用を説明する。
【００７８】
図２０のフローチャートに示すように、Ｓ１８〜Ｓ２０にてブザー手段２４にて第３の確認音を吹鳴した後に、Ｓ２１〜Ｓ２２にて１分間だけ表示手段２８（ＬＥＤランプ）を点滅させて、Ｓ２３にてこれを消灯する。
【００７９】
以上のように、本実施例では、同じ部屋に複数の窓の開閉検知センサーを設置していて、それらが一斉に警戒モードに移行した場合に発せられる警戒モード設定確認音のうち、どの端末器の電池電圧が低いのかを聞き取りにくい場合においても表示手段（ＬＥＤ発光素子あるいは簡易ランプ）を点滅させることにより、使用者は端末器の電池切れをより確実に知ることができる。
【００８０】
なお、本実施例では、表示手段２８（ＬＥＤランプ）を点滅する時間を具体的に示したがこの時間は特に限定するものではない。
【００８１】
また、本実施例では、Ｓ２０にてブザー手段２４による確認音を吹鳴終了後に、表示手段２８（ＬＥＤランプ）を点滅するようにしたがこのタイミングは限定するものではなく、ブザー吹鳴と表示手段（ＬＥＤランプ）の点灯を同時に行っても良い。
【００８２】
さらに、Ｓ２０によるブザー吹鳴を行わず（つまりブザー吹鳴を行うことなく）表示手段（ＬＥＤランプ）の点滅のみを行っても良い。
【００８３】
【発明の効果】
以上のように、本発明によれば、監視システムは、定常または非定常の状態を監視する複数の端末器および１台の中央処理装置と、前記端末器および前記中央処理装置との間で前記定常状態または非定常状態に関するデータの送信および受信を行うデータ通信手段と、前記端末器にて非定常の状態が発生した場合に警報音を鳴らすブザー手段を備え、前記中央処理装置は、定常または非定常の状態の監視開始時に、前記端末器から定常状態である信号を受信した場合、前記端末器のブザー手段を動作させ第１の確認音を吹鳴するようにしたものであり、これにより、使用者が中央処理装置にて警戒モードを設定した場合、端末器は定常状態（窓の開閉検知センサーであれば窓が閉じている状態）を検知して（中央処理装置へ状態を送信して折り返し中央処理装置は）端末器のブザーを（例えばピピッと言うように）短時間だけ鳴らすことにより、使用者はその端末器が警戒モードに移行した事を端末器自体で確認できる。
【図面の簡単な説明】
【図１】本発明の実施例１のシステムブロック図
【図２】本発明の実施例１の中央処理装置１９の内部ブロック図
【図３】本発明の実施例１の端末器２０、２１の内部ブロック図
【図４】本発明の実施例１の端末器２０、２１の動作フローチャート
【図５】本発明の実施例２の端末器２０、２１の内部ブロック図
【図６】本発明の実施例２の端末器２０、２１の動作フローチャート
【図７】本発明の実施例３の端末器２０、２１の内部ブロック図
【図８】本発明の実施例３の端末器２０、２１の動作フローチャート
【図９】本発明の実施例４の端末器２０、２１の内部ブロック図
【図１０】本発明の実施例４の端末器２０、２１の動作フローチャート
【図１１】本発明の実施例５の端末器２０、２１の内部ブロック図
【図１２】本発明の実施例５の端末器２０、２１の動作フローチャート
【図１３】本発明の実施例６の端末器２０、２１の内部ブロック図
【図１４】本発明の実施例６の端末器２０、２１の動作フローチャート
【図１５】本発明の実施例７の端末器２０、２１の内部ブロック図
【図１６】本発明の実施例７の端末器２０、２１の動作フローチャート
【図１７】本発明の実施例８の端末器２０、２１の内部ブロック図
【図１８】本発明の実施例８の端末器２０、２１の動作フローチャート
【図１９】本発明の実施例９の端末器２０、２１の内部ブロック図
【図２０】本発明の実施例９の端末器２０、２１の動作フローチャート
【図２１】従来の監視システムのシステムブロック図
【図２２】従来の監視システムの中央処理装置の内部ブロック図
【図２３】従来の監視システムの端末器２〜３の内部ブロック図
【符号の説明】
１９  中央処理装置
２０、２１  端末器
５  データ通信手段
６  音声通信手段
７  公衆回線接続手段（通信回線接続装置または外線接続手段）
９  表示手段
１０  設定部
１１  音声出力手段
１２  音声入力手段
１３  侵入検知手段
２２  制御手段
２３  端末制御部
２４  ブザー手段
２６  音量設定手段
３４  電池電圧検知手段
【図１】
2004326144.tif 000003
【図２】
2004326144.tif 000004
【図３】
2004326144.tif 000005
【図４】
2004326144.tif 000006
【図５】
2004326144.tif 000007
【図６】
2004326144.tif 000008
【図７】
2004326144.tif 000009
【図８】
2004326144.tif 000010
【図９】
2004326144.tif 000011
【図１０】
2004326144.tif 000012
【図１１】
2004326144.tif 000013
【図１２】
2004326144.tif 000014
【図１３】
2004326144.tif 000015
【図１４】
2004326144.tif 000016
【図１５】
2004326144.tif 000017
【図１６】
2004326144.tif 000018
【図１７】
2004326144.tif 000019
【図１８】
2004326144.tif 000020
【図１９】
2004326144.tif 000021
【図２０】
2004326144.tif 000022
【図２１】
2004326144.tif 000023
【図２２】
2004326144.tif 000024
【図２３】
2004326144.tif 000025